(57)【特許請求の範囲】
【請求項１】
尖部を有するガラス容器内に、負の静電気が帯電しているＳｉ／ＳｉＯX （０＜ｘ≦２）が封入されており、該ガラス容器が水槽本体内に設置されていることを特徴とする水槽。
【請求項２】
前記水槽本体の周囲にも前記ガラス容器が設置されていることを特徴とする請求項１記載の水槽。
【請求項３】
尖部を有するガラス容器内に、負の静電気が帯電しているＳｉ／ＳｉＯX （０＜ｘ≦２）が封入されており、該ガラス容器が水槽本体内に設置されていることを特徴とする活魚輸送車。
【発明の詳細な説明】
【０００１】
【発明の属する技術分野】
本発明は、水槽及び活魚輸送車に関する。
【０００２】
【従来の技術及び発明が解決しようとする課題】
水槽内で魚介類を飼育する場合、その水管理は手間とコストがかかり非常に不便なものである。また条件が整わないと、水槽に移した場合に、魚介類は弱ったり、死んでしまったりすることが多い。このようなことは、家庭用，水族館等における鑑賞用魚のみならず、食用の魚介類を輸送する場合にも大きな問題である。
特に海水魚に対しては、海水と同じ条件を提供することは非常に困難であり、長期間にわたって生存させるには、特別な技術が要求される。
【０００３】
本発明は、斯かる事情に鑑みてなされたものであり、水槽内に設置するだけで、あらゆる魚介類を長期間生存させることが可能な水槽活性化具を用いた、水槽及び活魚輸送車を提供することを目的とする。
【０００４】
【課題を解決するための手段】
本発明に係る水槽は、尖部を有するガラス容器内に、負の静電気が帯電しているＳｉ／ＳｉＯX （０＜ｘ≦２）が封入されており、該ガラス容器が水槽本体内に設置されていることを特徴とする。
【００１０】
本発明に係る水槽は、さらに前記水槽本体の周囲にも前記ガラス容器を配置したものである。
水槽本体の内外及び周囲に設置されるべき、このガラス容器は水槽内の水の汚濁を防止することができる。
【００１１】
本発明に係る活魚輸送車は、尖部を有するガラス容器内に、負の静電気が帯電しているＳｉ／ＳｉＯX （０＜ｘ≦２）が封入されており、該ガラス容器が水槽本体内に設置されていることを特徴とする。
この発明ではガラス容器内の静電気によって、水槽本体内の水を活性化することができるので、従来よりも長時間の活魚の輸送が可能となる。
【００１６】
【発明の実施の形態】
以下、本発明をその実施の形態を示す図面に基づき具体的に説明する。
形態例１．
図１は本発明に係る水槽活性化具を備えた水槽を示す模式図である。１ｍ角の水槽本体１内の４隅において中程の高さに、水槽活性化具２が取り付けられている。水槽活性化具２は、ガラス製の円筒部21（直径８cm，長さ25cm）と、同じくガラス製の円錐部22（直径８cm，高さ８cm）とを有し、全長33cmである。この中には、予め負の静電気が帯電された石英坩堝に所定時間入れておくことにより負の静電気が帯電された、粒状又は粉状のＳｉ／ＳｉＯX （０＜ｘ≦２）23が充填され密封されている。水槽活性化具２は、円錐部22を下側に向けて取り付けられている。
【００１７】
このような水槽本体１に水道水４を入れ、種々の海水魚及び貝類を飼育した。ここで使用した魚介類は、鰒，鮃，伊勢海老，蟹，大鯏，蛤，磯魚である。この結果、いずれの魚介類についても１ヵ月以上生存可能であることが確認された。しかも海水魚は依然として非常に活発に泳いでいた。
【００１８】
水槽活性化具２内のＳｉ／ＳｉＯX 23からは、負の静電気が放出され、この負の静電気が水道水４を活性化させる。これにより水道水のエネルギが海水のエネルギと同様にまで高められ、海水魚の生存が可能になったものと考えられる。また水槽活性化具２を備えた水槽では、水中の大腸菌等の菌類が減少又はその増殖が抑制され、ＣＯＤ（化学的酸素要求量），ＢＯＤ（生物化学的酸素要求量）等の値も低減されることが確認された。
【００１９】
上述したサイズの水槽活性化具２は、卵の時点からの養殖に使用する場合、15ｔ程度の水を活性化することができる。成魚用の生簀，輸送等、水の浄化用に使用する場合には、90ｔまで適用することが可能である。
また円筒部21の直径を10cm，長さを 123cmとし、円錐部22の直径を10cm，高  を10cmとした場合には、 253ｔの水を使用して養殖を行えることが確認された。
【００２０】
形態例２．
図２は形態例２に係る水槽活性化方法を説明するための模式的平面図である。図１に示す形態例１の場合と同様に、水槽本体１内の４隅に水槽活性化具２が取り付けられている。そして水槽本体１が載置されている台平面に対応する床平面（又は台上）を取り囲む４ヶ所に円錐形の空間活性化具５が設置されており、これら４つの空間活性化具５にて規定される空間内であり、水槽本体１の下方である床上（又は台上）に、さらに空間活性化具５が配置されている。空間活性化具５は、予め負の静電気が帯電された石英坩堝に所定時間入れておくことにより負の静電気が帯電された、粒状又は粉状のＳｉ／ＳｉＯX （０＜ｘ≦２）23が、円錐形のガラス容器６（直径10cm，高さ10cm）の内部に充填され密封された構造をなす。
【００２１】
空間活性化具５にて規定された領域内は、その中に充填されたＳｉ／ＳｉＯX 23から放出された負の静電気によって、その上空数ｍまで、正の静電気が除去され、活性化される。従ってこの空間内にある空気、人体，動植物体等の生命体、及び物体が活性化される。これにより水槽本体１内の水４は、さらに活性化され、そのエネルギもさらに上昇せしめられる。
形態例２では、形態例１よりも優れた効果が得られると考えられる。
【００２２】
形態例３．
図３は、形態例３に係る活魚輸送車における水槽活性化具２及び空間活性化具５の配置を説明する模式図である。図３(a) は側方からの透視図であり、図３(b) は上方からの透視図である。この輸送車は容量0.９ｍ3 の水槽本体１を３個搭載しており、各水槽本体１の４隅には水槽活性化具２が取り付けられている。そして車体の４隅に各１個、車体の幅方向の中程に略等間隔で２個、及び運転席の上方に１個の計７個の空間活性化具５が設置されている。なお運転席の上方の空間活性化具５は尖部を下側に向け、他の６個は尖部を上側に向けて設置されている。これら空間活性化具５は、直径10mm，高さ15mmの円錐形であり、形態例２と同様、予め負の静電気が帯電された石英坩堝に所定時間入れておくことにより負の静電気が帯電された、粒状又は粉状のＳｉ／ＳｉＯX （０＜ｘ≦２）が、円錐形のガラス容器内に封入されている。
【００２３】
このような活魚輸送車において、瀑気のための一般的なコンプレッサー及び酸素ボンベを搭載し、実際に活魚（鮃１５匹，鯛３０匹）の輸送を１０月に行った。走行距離は３５０ｋｍ，輸送時間は、待ち時間を含めて約１日であった。その結果、水槽本体１内の水はほとんど汚濁がなく出発前とあまり変わらなかった。臭気もほとんど無かった。魚は、積込み時と同様、水槽本体１の底方で元気に泳いでおり、浮いて泳いでいる魚は１匹もいなかった。
【００２４】
以上の形態例は、海水の生物に適用したが、本発明に係る水槽活性化具を備えた水槽で淡水の生物を飼育可能であることはいうまでもない。この場合は水が浄化される。従って海水魚と淡水魚との共存が可能となる。
【００２５】
ＳｉＯX としては、1.00≦ｘ≦1.95で良好な効果が得られ、特にｘ＝1.5 で最も良好な効果が得られることが判った。
またＳｉ／ＳｉＯX の負の静電気の帯電の程度が高いほど大きい効果が得られる。
【００２８】
【発明の効果】
以上のように本発明は、ガラス容器に封入された物質から放出される負の静電気を水に作用させて、これを活性化することができる。これにより水道水を使用した場合でも、海水魚を長期間飼育することが可能になる。またこのガラス容器を活魚輸送車に搭載すると、長時間輸送が可能となる等、本発明は優れた効果を奏する。
【図面の簡単な説明】
【図１】形態例１に係る水槽活性化具を設置した水槽を示す模式図である。
【図２】形態例２を説明するための模式的平面図である。
【図３】形態例３に係る活魚輸送車を示す模式図である。
【符号の説明】
１  水槽本体
２  水槽活性化具
４  水
５  空間活性化具
６  ガラス容器
21  円筒部
22  円錐部
23  Ｓｉ／ＳｉＯX （０＜ｘ≦２）
【図１】
0003775874.tif 000002
【図２】
0003775874.tif 000003
【図３】
0003775874.tif 000004